(57)【要約】【課題】  ボックス内の原稿画像と透かし情報の有効活用。【解決手段】  透かし情報を含んだ原稿画像を、ボックスへ保存する際に、原稿画像から、透かし情報（著作者情報、オリジナルコンテンツへのポインタ、音声情報など）を抽出して、別々に保存し、透かし情報を再利用できるようにし、また、既に同じ透かし情報が保存されている場合には、保存しない。【選択図】        図１
2006173844.tif 000002
【特許請求の範囲】
【請求項１】
電子透かし入り文書を読み取って、電子透かし入り文書から電子透かしを抽出することが可能であって、かつ電子データに電子透かしを入れることが可能な画像処理装置であって、
電子透かし入り文書から抽出した電子透かしを格納する第一の格納手段と、
電子透かしを抽出後の電子データを格納する第二の格納手段と、
前記第一の格納手段に格納された電子透かしの一覧を表示する第一の表示手段と、
前記第二の格納手段に格納された電子データの一覧を表示する第二の表示手段と、
前記第一の表示手段と前記第二の表示手段を用いて、前記第一の格納手段に格納された任意の電子透かしと前記第二の格納手段に格納された任意の電子データを選択して新たな電子透かし入り文書の生成指示を行う生成指示手段と、
前記生成指示手段により生成された電子透かし入り文書を格納する第三の格納手段と、
前記生成指示手段により新たな電子透かし入り文書の生成を行うよう指示された際に、前記第一の表示手段と前記第二の表示手段を用いて選択された、前記第一の格納手段に格納された任意の電子透かしと前記第二の格納手段に格納された任意の電子データとから新たな電子透かし入り文書の生成を行い、前記新たな電子透かし入り文書を前記第三の格納手段へ格納するよう制御する制御手段とを備えることを特徴とする画像処理装置。
【請求項２】
電子透かし入り文書を読み取って、電子透かし入り文書から電子透かしを抽出することが可能であって、かつ電子データに電子透かしを入れることが可能な画像処理装置であって、
電子透かし入り文書から抽出した電子透かしを格納する第一の格納手段と、
電子透かしを抽出後の電子データを格納する第二の格納手段と、
前記抽出した電子透かしが、前記第一の格納手段に既に格納されているかどうかを判断する判断手段と、
前記判断手段により前記抽出した電子透かしが前記第一の格納手段に既に格納されていると判断された場合には、前記抽出した電子透かしを前記第一の格納手段に格納しないよう制御する制御手段と、
前記第一の格納手段に格納された電子透かしの一覧を表示する第一の表示手段と、
前記第二の格納手段に格納された電子データの一覧を表示する第二の表示手段と、
前記第一の表示手段と前記第二の表示手段を用いて、前記第一の格納手段に格納された任意の電子透かしと前記第二の格納手段に格納された任意の電子データを選択して新たな電子透かし入り文書の生成指示を行う生成指示手段と、
前記生成指示手段により生成された電子透かし入り文書を格納する第三の格納手段と、
前記生成指示手段により新たな電子透かし入り文書の生成を行うよう指示された際に、前記第一の表示手段と前記第二の表示手段を用いて選択された、前記第一の格納手段に格納された任意の電子透かしと前記第二の格納手段に格納された任意の電子データとから新たな電子透かし入り文書の生成を行い、前記新たな電子透かし入り文書を前記第三の格納手段へ格納するよう制御する制御手段とを備えることを特徴とする画像処理装置。
【請求項３】
電子透かし入り文書を読み取って、電子透かし入り文書から電子透かしを抽出することが可能であって、かつ電子データに電子透かしを入れることが可能な画像処理装置であって、
電子透かし入り文書から抽出した電子透かしを格納する第一の格納手段と、
電子透かしを抽出後の電子データを格納する第二の格納手段と、
前記電子透かしを抽出後の電子データが、前記第二の格納手段に既に格納されているかどうかを判断する判断手段と、
前記判断手段により前記電子透かしを抽出後の電子データが前記第二の格納手段に格納されていると判断された場合には、前記抽出した電子透かしを前記第二の格納手段に格納しないよう制御する制御手段と、
前記第一の格納手段に格納された電子透かしの一覧を表示する第一の表示手段と、
前記第二の格納手段に格納された電子データの一覧を表示する第二の表示手段と、
前記第一の表示手段と前記第二の表示手段を用いて、前記第一の格納手段に格納された任意の電子透かしと前記第二の格納手段に格納された任意の電子データを選択して新たな電子透かし入り文書の生成指示を行う生成指示手段と、
前記生成指示手段により生成された電子透かし入り文書を格納する第三の格納手段と、
前記生成指示手段により新たな電子透かし入り文書の生成を行うよう指示された際に、前記第一の表示手段と前記第二の表示手段を用いて選択された、前記第一の格納手段に格納された任意の電子透かしと前記第二の格納手段に格納された任意の電子データとから新たな電子透かし入り文書の生成を行い、前記新たな電子透かし入り文書を前記第三の格納手段へ格納するよう制御する制御手段とを備えることを特徴とする画像処理装置。
【請求項４】
電子透かし入り文書を読み取って、電子透かし入り文書から電子透かしを抽出することが可能であって、かつ電子データに電子透かしを入れることが可能な画像処理装置の制御方法であって、
電子透かし入り文書から抽出した電子透かしを格納する第一の格納ステップと、
電子透かしを抽出後の電子データを格納する第二の格納ステップと、
前記第一の格納ステップによって格納された電子透かしの一覧を表示する第一の表示ステップと、
前記第二の格納ステップによって格納された電子データの一覧を表示する第二の表示ステップと、
前記第一の表示ステップと前記第二の表示ステップにより、前記第一の格納ステップによって格納された任意の電子透かしと前記第二の格納ステップにより格納された任意の電子データを選択して新たな電子透かし入り文書の生成指示を行う生成指示ステップと、
前記生成指示ステップにより生成された電子透かし入り文書を格納する第三の格納ステップと、
前記生成指示ステップにより新たな電子透かし入り文書の生成を行うよう指示された際に、前記第一の表示ステップと前記第二の表示ステップを用いて選択された、前記第一の格納ステップによって格納された任意の電子透かしと前記第二の格納ステップによって格納された任意の電子データとから新たな電子透かし入り文書の生成を行い、前記新たな電子透かし入り文書を前記第三の格納ステップによって格納するよう制御する制御ステップとを備えることを特徴とする画像処理装置の制御方法。
【請求項５】
電子透かし入り文書を読み取って、電子透かし入り文書から電子透かしを抽出することが可能であって、かつ電子データに電子透かしを入れることが可能な画像処理装置の制御方法であって、
電子透かし入り文書から抽出した電子透かしを格納する第一の格納ステップと、
電子透かしを抽出後の電子データを格納する第二の格納ステップと、
前記抽出した電子透かしが、前記第一の格納ステップによって既に格納されているかどうかを判断する判断ステップと、
前記判断ステップにより前記抽出した電子透かしが前記第一の格納ステップによって既に格納されていると判断された場合には、前記抽出した電子透かしを前記第一の格納ステップによって格納しないよう制御する制御ステップと、
前記第一の表示ステップと前記第二の表示ステップを用いて、前記第一の格納ステップによって格納された任意の電子透かしと前記第二の格納ステップによって格納された任意の電子データを選択して新たな電子透かし入り文書の生成指示を行う生成指示ステップと、
前記生成指示ステップにより生成された電子透かし入り文書を格納する第三の格納ステップと、
前記生成指示ステップにより新たな電子透かし入り文書の生成を行うよう指示された際に、前記第一の表示ステップと前記第二の表示ステップを用いて選択された、前記第一の格納ステップによって格納された任意の電子透かしと前記第二の格納ステップによって格納された任意の電子データとから新たな電子透かし入り文書の生成を行い、前記新たな電子透かし入り文書を前記第三の格納ステップへ格納するよう制御する制御ステップとを備えることを特徴とする画像処理装置の制御方法。
【請求項６】
電子透かし入り文書を読み取って、電子透かし入り文書から電子透かしを抽出することが可能であって、かつ電子データに電子透かしを入れることが可能な画像処理装置の制御方法であって、
電子透かし入り文書から抽出した電子透かしを格納する第一の格納ステップと、
電子透かしを抽出後の電子データを格納する第二の格納ステップと、
前記電子透かしを抽出後の電子データが、前記第二の格納ステップによって既に格納されているかどうかを判断する判断ステップと、
前記判断ステップにより前記電子透かしを抽出後の電子データが前記第二の格納ステップによって格納されていると判断された場合には、前記抽出した電子透かしを前記第二の格納ステップによって格納しないよう制御する制御ステップと、
前記第一の表示ステップと前記第二の表示ステップを用いて、前記第一の格納ステップによって格納された任意の電子透かしと前記第二の格納ステップによって格納された任意の電子データを選択して新たな電子透かし入り文書の生成指示を行う生成指示ステップと、
前記生成指示ステップにより生成された電子透かし入り文書を格納する第三の格納ステップと、
前記生成指示ステップにより新たな電子透かし入り文書の生成を行うよう指示された際に、前記第一の表示ステップと前記第二の表示ステップを用いて選択された、前記第一の格納ステップによって格納された任意の電子透かしと前記第二の格納ステップによって格納された任意の電子データとから新たな電子透かし入り文書の生成を行い、前記新たな電子透かし入り文書を前記第三の格納ステップへ格納するよう制御する制御ステップとを備えることを特徴とする画像処理装置の制御方法。
【発明の詳細な説明】
【技術分野】
【０００１】
本発明は、電子透かし入り文書を保存可能な画像処理装置及びその制御方法に関する。さらには、保存した電子透かし入り文書の再利用に関する。
【背景技術】
【０００２】
近年のＩＴ技術の発展のおかげで、ペーパーレス化社会といわれるほど、あらゆるデータを電子化し、デジタル化することが可能である。デジタル化したデータは、インターネット等ネットワークを通じて誰でも、容易に利用することが可能である。このように、便利であるがゆえに、デジタルデータの著作権保護、改ざん防止、不正コピー防止が課題となっており、この課題を解決するために電子透かしによって、特定のセキュリティデータを画像に埋めこむ技術が開発されている。
【０００３】
また、この電子透かし技術を応用して、音声情報や画像データのオリジナルコンテンツへのポインタなどの付加情報を電子透かしとして埋めこむ技術も開発されている。
【０００４】
一方、電子データは容易に再利用できることが、その利点でもあるので、不正な利用を防止しつつ正当な再利用を可能とするシステムが構築されることが望ましい。
【０００５】
従来、この電子透かし入り文書の二次利用に関しては、特許文献１などのように、透かし情報を読み取って、著作者の許可を得るというアイデアが提案されている。
【特許文献１】特開平２０００−１１３０６６号公報
【発明の開示】
【発明が解決しようとする課題】
【０００６】
しかしながら、従来では、電子透かし入り文書を保存し、再利用する場合を考えた時、電子透かしと電子データを別々に保存しておいて、ユーザが、任意のタイミングで、任意の電子データと任意の電子透かしを再利用し、組み合わせることによって、新たな電子透かし入り文書を作成する、ということが出来なかった。
【０００７】
したがって、本発明の目的は、電子透かし入り文書を保存することが可能な画像処理装置において、電子透かしと電子データをそれぞれ別々に再利用することが可能な画像処理装置及びその制御方法を提供することである。
【課題を解決するための手段】
【０００８】
上記目的を達成するために本発明では、請求項１記載の画像処理装置は、電子透かし入り文書を読み取って、電子透かし入り文書から電子透かしを抽出することが可能であって、かつ電子データに電子透かしを入れることが可能な画像処理装置であって、電子透かし入り文書から抽出した電子透かしを格納する第一の格納手段と、電子透かしを抽出後の電子データを格納する第二の格納手段と、前記第一の格納手段に格納された電子透かしの一覧を表示する第一の表示手段と、前記第二の格納手段に格納された電子データの一覧を表示する第二の表示手段と、前記第一の表示手段と前記第二の表示手段を用いて、前記第一の格納手段に格納された任意の電子透かしと前記第二の格納手段に格納された任意の電子データを選択して新たな電子透かし入り文書の生成指示を行う生成指示手段と、前記生成指示手段により生成された電子透かし入り文書を格納する第三の格納手段と、前記生成指示手段により新たな電子透かし入り文書の生成を行うよう指示された際に、前記第一の表示手段と前記第二の表示手段を用いて選択された、前記第一の格納手段に格納された任意の電子透かしと前記第二の格納手段に格納された任意の電子データとから新たな電子透かし入り文書の生成を行い、前記新たな電子透かし入り文書を前記第三の格納手段へ格納するよう制御する制御手段とを備えることを特徴とする。
【０００９】
請求項２記載の画像処理装置は、電子透かし入り文書を読み取って、電子透かし入り文書から電子透かしを抽出することが可能であって、かつ電子データに電子透かしを入れることが可能な画像処理装置であって、電子透かし入り文書から抽出した電子透かしを格納する第一の格納手段と、電子透かしを抽出後の電子データを格納する第二の格納手段と、前記抽出した電子透かしが、前記第一の格納手段に既に格納されているかどうかを判断する判断手段と、前記判断手段により前記抽出した電子透かしが前記第一の格納手段に既に格納されていると判断された場合には、前記抽出した電子透かしを前記第一の格納手段に格納しないよう制御する制御手段と、前記第一の格納手段に格納された電子透かしの一覧を表示する第一の表示手段と、前記第二の格納手段に格納された電子データの一覧を表示する第二の表示手段と、前記第一の表示手段と前記第二の表示手段を用いて、前記第一の格納手段に格納された任意の電子透かしと前記第二の格納手段に格納された任意の電子データを選択して新たな電子透かし入り文書の生成指示を行う生成指示手段と、前記生成指示手段により生成された電子透かし入り文書を格納する第三の格納手段と、前記生成指示手段により新たな電子透かし入り文書の生成を行うよう指示された際に、前記第一の表示手段と前記第二の表示手段を用いて選択された、前記第一の格納手段に格納された任意の電子透かしと前記第二の格納手段に格納された任意の電子データとから新たな電子透かし入り文書の生成を行い、前記新たな電子透かし入り文書を前記第三の格納手段へ格納するよう制御する制御手段とを備えることを特徴とする。
【００１０】
請求項３記載の画像処理装置は、電子透かし入り文書を読み取って、電子透かし入り文書から電子透かしを抽出することが可能であって、かつ電子データに電子透かしを入れることが可能な画像処理装置であって、電子透かし入り文書から抽出した電子透かしを格納する第一の格納手段と、電子透かしを抽出後の電子データを格納する第二の格納手段と、前記電子透かしを抽出後の電子データが、前記第二の格納手段に既に格納されているかどうかを判断する判断手段と、前記判断手段により前記電子透かしを抽出後の電子データが前記第二の格納手段に格納されていると判断された場合には、前記抽出した電子透かしを前記第一の格納手段に格納しないよう制御する制御手段と、前記第一の格納手段に格納された電子透かしの一覧を表示する第一の表示手段と、前記第二の格納手段に格納された電子データの一覧を表示する第二の表示手段と、前記第一の表示手段と前記第二の表示手段を用いて、前記第一の格納手段に格納された任意の電子透かしと前記第二の格納手段に格納された任意の電子データを選択して新たな電子透かし入り文書の生成指示を行う生成指示手段と、前記生成指示手段により生成された電子透かし入り文書を格納する第三の格納手段と、前記生成指示手段により新たな電子透かし入り文書の生成を行うよう指示された際に、前記第一の表示手段と前記第二の表示手段を用いて選択された、前記第一の格納手段に格納された任意の電子透かしと前記第二の格納手段に格納された任意の電子データとから新たな電子透かし入り文書の生成を行い、前記新たな電子透かし入り文書を前記第三の格納手段へ格納するよう制御する制御手段とを備えることを特徴とする。
【００１１】
請求項４記載の画像処理装置の制御方法は、電子透かし入り文書を読み取って、電子透かし入り文書から電子透かしを抽出することが可能であって、かつ電子データに電子透かしを入れることが可能な画像処理装置の制御方法であって、電子透かし入り文書から抽出した電子透かしを格納する第一の格納ステップと、電子透かしを抽出後の電子データを格納する第二の格納ステップと、前記第一の格納ステップによって格納された電子透かしの一覧を表示する第一の表示ステップと、前記第二の格納ステップによって格納された電子データの一覧を表示する第二の表示ステップと、前記第一の表示ステップと前記第二の表示ステップにより、前記第一の格納ステップによって格納された任意の電子透かしと前記第二の格納ステップにより格納された任意の電子データを選択して新たな電子透かし入り文書の生成指示を行う生成指示ステップと、前記生成指示ステップにより生成された電子透かし入り文書を格納する第三の格納ステップと、前記生成指示ステップにより新たな電子透かし入り文書の生成を行うよう指示された際に、前記第一の表示ステップと前記第二の表示ステップを用いて選択された、前記第一の格納ステップによって格納された任意の電子透かしと前記第二の格納ステップによって格納された任意の電子データとから新たな電子透かし入り文書の生成を行い、前記新たな電子透かし入り文書を前記第三の格納ステップによって格納するよう制御する制御ステップとを備えることを特徴とする。
【００１２】
請求項５記載の画像処理装置の制御方法は、電子透かし入り文書を読み取って、電子透かし入り文書から電子透かしを抽出することが可能であって、かつ電子データに電子透かしを入れることが可能な画像処理装置の制御方法であって、電子透かし入り文書から抽出した電子透かしを格納する第一の格納ステップと、電子透かしを抽出後の電子データを格納する第二の格納ステップと、前記抽出した電子透かしが、前記第一の格納ステップによって既に格納されているかどうかを判断する判断ステップと、前記判断ステップにより前記抽出した電子透かしが前記第一の格納ステップによって既に格納されていると判断された場合には、前記抽出した電子透かしを前記第一の格納ステップによって格納しないよう制御する制御ステップと、前記第一の表示ステップと前記第二の表示ステップを用いて、前記第一の格納ステップによって格納された任意の電子透かしと前記第二の格納ステップによって格納された任意の電子データを選択して新たな電子透かし入り文書の生成指示を行う生成指示ステップと、前記生成指示ステップにより生成された電子透かし入り文書を格納する第三の格納ステップと、前記生成指示ステップにより新たな電子透かし入り文書の生成を行うよう指示された際に、前記第一の表示ステップと前記第二の表示ステップを用いて選択された、前記第一の格納ステップによって格納された任意の電子透かしと前記第二の格納ステップによって格納された任意の電子データとから新たな電子透かし入り文書の生成を行い、前記新たな電子透かし入り文書を前記第三の格納ステップへ格納するよう制御する制御ステップとを備えることを特徴とする。
【００１３】
請求項６記載の画像処理装置の制御方法は、電子透かし入り文書を読み取って、電子透かし入り文書から電子透かしを抽出することが可能であって、かつ電子データに電子透かしを入れることが可能な画像処理装置の制御方法であって、電子透かし入り文書から抽出した電子透かしを格納する第一の格納ステップと、電子透かしを抽出後の電子データを格納する第二の格納ステップと、前記電子透かしを抽出後の電子データが、前記第二の格納ステップによって既に格納されているかどうかを判断する判断ステップと、前記判断ステップにより前記電子透かしを抽出後の電子データが前記第二の格納ステップによって格納されていると判断された場合には、前記抽出した電子透かしを前記第一の格納ステップによって格納しないよう制御する制御ステップと、前記第一の表示ステップと前記第二の表示ステップを用いて、前記第一の格納ステップによって格納された任意の電子透かしと前記第二の格納ステップによって格納された任意の電子データを選択して新たな電子透かし入り文書の生成指示を行う生成指示ステップと、前記生成指示ステップにより生成された電子透かし入り文書を格納する第三の格納ステップと、前記生成指示ステップにより新たな電子透かし入り文書の生成を行うよう指示された際に、前記第一の表示ステップと前記第二の表示ステップを用いて選択された、前記第一の格納ステップによって格納された任意の電子透かしと前記第二の格納ステップによって格納された任意の電子データとから新たな電子透かし入り文書の生成を行い、前記新たな電子透かし入り文書を前記第三の格納ステップへ格納するよう制御する制御ステップとを備えることを特徴とする。
【発明の効果】
【００１４】
本発明によれば、例えば、著作権情報を透かし情報として画像処理装置に保存しておいて再利用する場合を考えた時、自分があらかじめ保存しておいた他の文書に対して、同一の著作権情報を透かし情報として埋めこむことが可能であるので、原本性の保証された著作権情報を透かしデータとして埋めこんだ文書を作成することが出来る。
【００１５】
また、広告情報を透かし情報として埋めこむケースを考えると、広告を付与する本文は様々な文面が考えられ、その文面が異なる文書に対して、同一の広告情報を透かし情報として埋め込むことが可能であり、多様な広告文書を作成することが出来る。
【００１６】
また、例えば、自分の所属する組織によって、その著作権情報を変えたい場合、本文は同一で、著作権情報だけを自分のその時の状況に応じて使い分けたいということが考えられ、本実施例のように、自由に組み合わせることが可能である。
【００１７】
別の例として、透かし情報として、あるコンテンツのＵＲＬを複数、画像処理装置に保存しておいて、渡したい人、場所に応じて、いかようにも透かし情報をさしかえることが出来る。
【００１８】
透かし情報に、セキュリティ情報を持たしておけば、組み合わせて作成した透かし入り文書に対してセキュリティをかけることが出来、このセキュリティレベルに応じて、文書の出力、表示、送信等を制限することも可能となる。
【発明を実施するための最良の形態】
【００１９】
以下本発明を実施するための最良の形態を、実施例により詳しく説明する。
【実施例】
【００２０】
図１は、本発明の実施例で用いられる画像処理装置の構成を示すブロック図である。
【００２１】
同図において、リーダ部１は原稿の画像を読み取り、原稿画像に応じた画像データを画像入出力制御部３へ出力する。プリンタ部２は画像入出力制御部３からの画像データに応じた画像を記録紙上に記録する。画像入出力制御部３はリーダ部１およびプリンタ部２に接続されており、ファクシミリ部４、ストレージ部５、コンピュータインタフェース部７、ＲＩＰ（Ｒａｓｔｅｒ  Ｉｍａｇｅ  Ｐｒｏｃｅｓｓｏｒ）部８、操作部９、コア部１０、電子透かし抽出部２０、電子透かし埋めこみ部２１などからなる。
【００２２】
ファクシミリ部４は電話回線を介して受信した圧縮画像データを伸長して、伸長された画像データをコア部１０へ転送し、又、コア部１０から転送された画像データを圧縮して、圧縮された圧縮画像データを電話回線を介して送信する。送受信する画像データは、ストレージ部５に接続されたハードディスク６中に一時的に保存することができる。
【００２３】
ストレージ部５にはハードディスク６が接続されており、ストレージ部５はコア部１０から転送された画像データを圧縮し、その画像データを検索するためのＩＤ番号とともにハードディスク６に記憶させる。又、ストレージ部５はコア部１０を介して転送されたコードデータに基づいてハードディスク６に記憶されている圧縮画像データを検索し、検索された圧縮画像データを読み出して伸長し、伸長された画像データをコア部１０へ転送する。
【００２４】
上記基本機能のほかに、本発明において、ストレージ部５はコア部１０から転送された電子透かし入り画像データを電子透かし抽出部２０によって、電子透かしを抽出、分離し、抽出した後の画像データと共にハードディスク６に記憶させる。
【００２５】
コンピュータインタフェース部７は、ネットワーク１１とコア部１０の間のインタフェースであり、クライアントコンピュータや他の画像処理装置とのデータのやり取りを行う。
【００２６】
ＲＩＰ部８はネットワーク１１から転送された画像を表すコードデータ（ＰＤＬ）をプリンタ部２で記録できる画像データに展開するものである。
【００２７】
操作部９はタッチパネルディスプレイとハードキーを備え、ユーザーインターフェースにより、本画像処理装置への動作指示や動作設定等を行うものである。
【００２８】
また、電子透かし抽出部２０によって、ハードディスク６上に格納されている電子透かしと画像データの一覧を表示する手段を持つ。さらに、一覧表示した任意の電子透かしと画像データを選択して、合成を指示する指示手段を持ち、指示手段により、電子透かしと画像データの合成指示を受けた際には、電子透かし埋めこみ部２１を用いて合成処理を行う。
【００２９】
電子透かし抽出部２０は、コア部１０から転送された電子透かし入り画像データから電子透かし部を抽出し、画像データとの分離を行う。
【００３０】
電子透かし埋めこみ部２１は、ハードディスク６に記憶されている電子透かしと画像データとの合成を行う。
【００３１】
コア部１０については後述するが、コア部１０はリーダ部１、プリンタ部２、ファクシミリ部４、ストレージ部５、コンピュータインタフェース部７、ＲＩＰ部８、操作部９、電子透かし抽出部２０、電子透かし埋めこみ部２１のそれぞれの間を流れるデータを制御するものである。
【００３２】
図２はコア部１０のブロック図である。
【００３３】
リーダ部１からの画像データはインタフェース１２２を介して、データ処理部１２１へ転送される。データ処理部１２１は画像の回転処理や変倍処理などの画像処理や画像データの圧縮、伸長を行うものであり、内部にＡ４／Ｌｅｔｔｅｒサイズ相当の画像データ複数ページ分のページメモリを有する。リーダ部１からデータ処理部１２１へ転送された画像データは、ページメモリに一時的に記憶された後、圧縮されてインタフェース１２０を介してストレージ部５へ転送される。
【００３４】
さらに、リーダ部１からの画像データが電子透かし入り画像データである場合は、インタフェース１２２を介して、データ処理部１２１へ転送され、さらにインタフェース１２０を介して電子透かし抽出部２０へ転送される。電子透かし部２０で電子透かしの抽出が行われた後、抽出後の画像データを再びインタフェース１２０を介してデータ処理部１２１が受け取り、画像の回転処理や変倍処理などの画像処理や画像データの圧縮、伸長が行われ、内部に保持するページメモリに一時的に記憶された後、圧縮されてインタフェース１２０を介してストレージ部５へ転送される。
【００３５】
一方、コンピュータインタフェース部７を介して入力された画像を表すコードデータ（ＰＤＬ）は、インタフェース１２０を介してデータ処理部１２１に転送された後ＲＩＰ部８へ転送されて画像データに展開され、この画像データはデータ処理部１２１に転送された後、ページメモリに一時的に記憶された後、圧縮されてストレージ部５へ転送される。
【００３６】
ＰＤＬデータに電子透かしが埋めこまれている場合は、リーダ部１からの入力と同じように、インタフェース１２０を介してデータ処理部１２１に転送された後ＲＩＰ部８へ転送されて電子透かし入り画像データに展開され、電子透かし抽出部２０へ転送される。電子透かし部２０で電子透かしの抽出が行われた後、抽出後の画像データはデータ処理部１２１に転送された後、ページメモリに一時的に記憶された後、圧縮されてストレージ部５へ転送される。
【００３７】
ファクシミリ部４からの画像データは、データ処理部１２１へ転送された後、ページメモリに一時的に記憶された後、圧縮されてストレージ部５へ転送される。
ファクシミリ部４からの画像データが電子透かし入り画像データの場合も、リーダ部１からの入力であるか、コンピュータインタフェース部７からの入力であるかの違いであり、電子透かし抽出部２０経由での処理は同じである。
【００３８】
また、ストレージ部５からの画像データは、データ処理部１２１へ転送された後、伸長されてページメモリに一時的に記憶された後、プリンタ部２やファクシミリ部４、コンピュータインタフェース部７へ転送される。
【００３９】
尚、前述したデータ処理部１２１へ各種画像データを入力し、ページメモリに一時的に記憶した後、ストレージ部５へ画像データを転送する前に、プリンタ部２やファクシミリ部４、コンピュータインタフェース部７へ転送することも内部のセレクタを切り替えて転送することができる。
【００４０】
ＣＰＵ１２３はメモリ１２４に記憶されている制御プログラム、及び操作部９から転送された制御コマンドに従ってこのような制御を行う。また、メモリ１２４はＣＰＵ１２３の作業領域としても使われる。
【００４１】
このように、コア部１０を中心に、データ処理部１２１およびストレージ部５を介して、原稿画像の読み取り、画像のプリント、画像の送受信、画像の保存、コンピュータからのデータの入出力などの機能を複合させた処理を行うことが可能である。
【００４２】
図３を用いて、ストレージ部５についての説明を補足する。ストレージ部５はハードディスク６を用いて様々な画像データを記憶しているが、電子透かし入り画像データに関しては、図３に示すように、格納領域１、２、３のような領域を管理しており、それぞれ、電子透かしを保持する領域、画像データを保持する領域、電子透かし入り画像データを保持する領域として割り当てる。別々に割り当てておくことにより、操作部９では、電子透かしの一覧、画像データの一覧を表示させることが可能となっている。
【００４３】
図４を用いて、電子透かし入り文書から電子透かしを抽出する、ということについて簡単に説明する。読み取った電子透かし入り文書Ａ１（６１０）を電子透かし抽出部２０を用いて、電子透かし１（６２０）と文書Ａ（６３０）に分離する処理のことを、本発明では電子透かしの抽出と呼んでいる。
【００４４】
次に図５と図６を用いて、電子透かしと画像データの合成について説明する。図５が電子透かし一つを複数の画像データに埋めこむ場合を示し、図６が複数の透かしそれぞれを一つの画像データに埋めこむ場合を示している。
【００４５】
電子透かし埋めこみ部２１によって、透かし（７１０、８１０、８２０、８３０、８４０）が、画像データ（７２０、７３０、７４０、８５０）に埋めこまれ、電子透かし入り画像データ（７５０、７６０、７７０、８６０、８７０、８８０、８９０）が作成される。
【００４６】
［実施例１］
図７を用いて、本発明の実施例１である、保存してある画像データの再利用すなわち、透かし情報一つに対して、合成する文書が複数あるケースの制御フローについて説明する。
【００４７】
ステップ９０１０では、リーダ部１を用いて、電子透かし入り文書を読み取り、コア（制御）部１０へ転送する。ステップ９０２０では、電子透かし抽出部２１を用いて、電子透かしを抽出する。
【００４８】
ステップ９０３０において、抽出した電子透かしをストレージ部５のハードディスク６へ格納する。同様に、ステップ９０４０において、抽出後の画像データをストレージ部５のハードディスク６へ格納する。本実施例では、ステップ９０３０と９０４０の結果、電子透かしと画像データがストレージ部５のハードディスク６へ格納される例を示したが、格納イメージは、図３に示すように、それぞれ別々の格納領域に格納されるので、透かしデータを別のハードディスク６’（不図示）を用意して格納してもよい（以下の実施例においても同様である）。
【００４９】
ステップ９０５０では、ステップ９０３０において格納した電子透かしの一覧をストレージ部５のハードディスク６から読み出し、操作部９へ表示する。同様に、ステップ９０６０では、ステップ９０４０において格納した画像データの一覧をストレージ部５のハードディスク６から読み出し、操作部９へ表示する。本実施例では、ステップ９０５０とステップ９０６０の結果が、操作部９に表示する例をあげたが、その表示イメージは、図３に示すように、透かし用表示部と画像データ用表示部とから構成されているので、操作部９’（不図示）を用意して、画像データを別の操作部へ表示してもかまわない（以下の実施例においても同様である）。
【００５０】
ステップ９０７０では、操作部９に表示されている任意の電子透かしと任意の画像データを選択して、操作部９上の透かし文書作成指示手段（不図示）によって、合成指示を行うことが出来る。本実施例１においては、透かし一つに対して、画像データ複数の場合であるから、図５のような合成結果となる。
【００５１】
ステップ９０８０において、新たに作成した電子透かし入り文書をストレージ部５のハードディスク６へ格納することによって、本実施例の制御フローは終了する。
【００５２】
実施例２で、保存してある透かし情報の再利用すなわち、透かし情報複数に対して、合成する文書が一つのケースの制御フローを説明する。
【００５３】
違いは、格納している透かしデータが複数なのか？画像データが複数なのか？だけであり、それによって操作部９へ表示する一覧も異なるだけであり、制御フローは同じである。
【００５４】
図８では、実施例３として、抽出した電子透かしが既にストレージ部５のハードディスク６に格納されている場合の制御フローについて説明する。
【００５５】
ステップ１０１０では、図７と同じように、リーダ部１を用いて、電子透かし入り文書を読み取り、コア（制御）部１０へ転送する。ステップ１０２０において、電子透かし抽出部２１を用いて、電子透かしを抽出する。
【００５６】
ステップ１０３０において、ステップ１０２０で抽出した電子透かしが、ストレージ部５のハードディスク６に既に格納されているかどうかをチェックする。もし既に格納されている場合は、ステップ１０５０へ進む。格納されていない場合は、ステップ１０４０へ進む。
【００５７】
ステップ１０４０は、ステップ１０３０において、抽出した電子透かしがストレージ部５のハードディスク６に格納されていない場合であり、この時は、抽出した電子透かしをストレージ部５のハードディスク６へ格納し、ステップ１０５０へ進む。
【００５８】
ステップ１０５０は、ステップ１０３０において、抽出した電子透かしがストレージ部５のハードディスク６に既に格納されていた場合と、ステップ１０４０に引き続いて、電子透かし入り画像データから電子透かしを抽出した後の画像データを、ストレージ部５のハードディスク６へ格納する工程である。
【００５９】
ステップ１０６０は、ステップ１０３０において格納した電子透かしの一覧をストレージ部５のハードディスク６から読み出し、操作部９へ表示する。同様に、ステップ１０７０では、ステップ１０５０において格納した画像データの一覧をストレージ部５のハードディスク６から読み出し、操作部９へ表示する。
【００６０】
ステップ１０８０では、操作部９に表示されている任意の電子透かしと任意の画像データを選択して、操作部９上の透かし文書作成指示手段（不図示）によって、合成指示を行うことが出来る。本実施例３において、本実施例１と同様に、透かし一つに対して、画像データ複数の場合は、図５のような合成結果となる。
【００６１】
ステップ１０９０において、新たに作成した電子透かし入り文書をストレージ部５のハードディスク６へ格納することによって、本実施例の制御フローは終了する。
【００６２】
図９では、実施例４として、抽出後の画像データが既にストレージ部５のハードディスク６に格納されている場合の制御フローについて説明する。
【００６３】
ステップ１１１０では、図７と同じように、リーダ部１を用いて、電子透かし入り文書を読み取り、コア（制御）部１０へ転送する。ステップ１１２０において、電子透かし抽出部２１を用いて、電子透かしを抽出する。
【００６４】
ステップ１１３０では、ステップ１１２０において、抽出した電子透かしをストレージ部５のハードディスク６へ格納し、ステップ１１４０へ進む。
【００６５】
ステップ１１４０では、ステップ１１２０で電子透かしを抽出した後の画像データが、ストレージ部５のハードディスク６に既に格納されているかどうかをチェックする。もし既に格納されている場合は、ステップ１１６０へ進む。格納されていない場合は、ステップ１１５０へ進む。
【００６６】
ステップ１１５０では、ステップ１１２０において電子透かしを抽出した後の画像データをストレージ部５のハードディスク６に格納し、ステップ１１６０へ進む。
【００６７】
ステップ１１６０は、ステップ１１４０において、電子透かしを抽出した後の画像データがストレージ部５のハードディスク６に既に格納されていた場合と、ステップ１１５０に引き続いて、電子透かし入り画像データから電子透かしを抽出した後の画像データを、ストレージ部５のハードディスク６へ格納する工程である。
【００６８】
ステップ１１７０は、ステップ１１３０において格納した電子透かしの一覧をストレージ部５のハードディスク６から読み出し、操作部９へ表示する。同様に、ステップ１１８０では、ステップ１１６０において格納した画像データの一覧をストレージ部５のハードディスク６から読み出し、操作部９へ表示する。
【００６９】
ステップ１１８０では、操作部９に表示されている任意の電子透かしと任意の画像データを選択して、操作部９上の透かし文書作成指示手段（不図示）によって、合成指示を行うことが出来る。本実施例４において、本実施例１と同様に、透かし一つに対して、画像データ複数の場合は、図５のような合成結果となる。
【００７０】
ステップ１１９０において、新たに作成した電子透かし入り文書をストレージ部５のハードディスク６へ格納することによって、本実施例の制御フローは終了する。
【図面の簡単な説明】
【００７１】
【図１】本発明における画像処理装置の構成を表すブロック図である。
【図２】本発明における画像処理装置のコア（制御）部を表すブロック図である。
【図３】本発明における抽出した電子透かしと画像データと透かし入り画像データを格納する格納領域を表すブロック図である。
【図４】電子透かしを抽出する例を表す図である。
【図５】透かし情報一つに対して、合成する文書が複数あるケースの例を表す図である。
【図６】透かし情報複数に対して、合成する文書が一つのケースの例を表す図である。
【図７】電子透かし入り画像データを保存する際に、透かしデータを抽出して電子データと分離して保存する際の制御フローを表すフローチャートである。
【図８】電子透かし入り画像データを保存する際に、透かしデータを抽出して電子データと分離して保存するが、透かしデータが既に保存されている場合の制御フローを表すフローチャートである。
【図９】電子透かし入り画像データを保存する際に、透かしデータを抽出して電子データと分離して保存するが、画像データが既に保存されている場合の制御フローを表すフローチャートである。
【符号の説明】
【００７２】
１  リーダ部
２  プリンタ部
３  画像入出力制御部
４  ファクシミリ部
５  ストレージ部
７  コンピュータインタフェース部
８  ＲＩＰ部
９  操作部
【図１】
2006173844.tif 000003
【図２】
2006173844.tif 000004
【図３】
2006173844.tif 000005
【図４】
2006173844.tif 000006
【図５】
2006173844.tif 000007
【図６】
2006173844.tif 000008
【図７】
2006173844.tif 000009
【図８】
2006173844.tif 000010
【図９】
2006173844.tif 000011